(57)【要約】  【課題】バック布のラインが着衣に現れにくくすると共に、バック布が着用者に締め付け感を与えたり、長時間着用により皮膚に跡が残ったりするようなことをなくす。  【解決手段】左右一対の乳房カップ部（２）と、前記乳房カップ部（２）の脇側から後身にかけて延びるバック布（４）と、前記乳房カップ部（２）の上部から（４２，４３）バック布まで延びる肩紐（６）を有するブラジャーである。前記バック布（４）は、周縁部（４６，４７）と、この周縁部を除く大部分（４４）からなる。前記周縁部（４６，４７）は、レース地（４５）だけの１層からなる。前記残りの大部分（４４）は、前記レース地（４５）と、このレース地の内側に位置する弾力性を有する編地（４８）の、少なくとも２層からなる。  【選択図】図３
2007186827.tif 000002
【特許請求の範囲】
【請求項１】
左右一対の乳房カップ部（２）と、前記乳房カップ部（２）の脇側から後身にかけて延びるバック布（４）と、前記乳房カップ部（２）の上部から（４２，４３）バック布まで延びる肩紐（６）を有するものにおいて、
前記バック布（４）は、周縁部（４６，４７）と、この周縁部を除く大部分（４４）からなり、
前記周縁部（４６，４７）は、レース地（４５）だけの１層からなり、
前記残りの大部分（４４）は、前記レース地（４５）と、このレース地の人体側に位置する弾力性を有する編地（４８）の、少なくとも２層からなることを特徴とするブラジャー。
【請求項２】
前記カップ部（２）の周辺に補強布（４９）を取り付けることにより、この部分を３層部（４１）とした請求項１記載のブラジャー。
【請求項３】
前記バック布（４）と前記肩紐（６）との間に肩紐取付用連結具（８）を取り付けると共に、この連結具（８）周辺をテープ（５１，５２）で補強することにより、この部分を３層部（４２，４３）とした請求項１又は２記載のブラジャー。
【請求項４】
左右一対の乳房カップ部（２）と、前記乳房カップ部（２）の脇側から後身にかけて延びるバック布（４）であってレース地（４５）を有するものと、前記乳房カップ部（２）の上部から前記バック布（４）まで延びる肩紐（６）を組み合わせてなるブラジャーの製法であって、
前記レース地（４５）を裁断するとき、少なくとも２枚の幅を有するバック布用生地を用意して、超音波切断により中間で斜めに切断することを特徴とするブラジャーの製法。
【発明の詳細な説明】
【技術分野】
【０００１】
本発明はブラジャー及びその製法に関する。特に、カップ部から背面側へ伸びるバック布（「バックストラップ」ともいわれる）に改良を加えたブラジャー及びその製法に関する。
【背景技術】
【０００２】
従来のブラジャーでは、バック布が裁断された縁の始末が必要な布地を用いて作成されることが一般的であった。このとき、バック布の上下端において裁断された縁を折り返して縫製により縁始末をする必要があり、始末された縁の厚みが、折り返された生地の分だけ増すこととなる。これにより、
（１）ブラジャーのバック布のラインが着衣に出やすくなる、
（２）バック布が着用者の身体へ与える圧力が前記縁部分において局所的に高くなり、着用者に締め付け感を与えたり、長時間着用すると皮膚に跡が残ったりする、
（３）縁始末の縫い目部分が皮膚への刺激となることもある、
といった問題があった。
【０００３】
これらの問題を解決するために、下記特許文献１では、バック布端部による局所的な圧迫を軽減するために、バック布として縁始末が不要な布を裁断されたままの状態で用いて形成することを提案している（同公報請求項５）。
【特許文献１】特開２００４−３３２１４３
【発明の開示】
【発明が解決しようとする課題】
【０００４】
特許文献１では、縁始末が不要な布として、２枚の布を接着して形成された前記バック布を提案している（同公報請求項６）。「この発明（特許文献１）で用いる裁断されたままの状態で縁始末不要な縁を形成しうる経編地は、通常、筬が２４ゲージ以上のラッシェル編機で編まれ、従ってレース生地は含まれない」と明記されている（［００５５］）。
【０００５】
本発明は、特許文献１が排除したレース生地を使用して、特許文献１が目指した問題点を解決することを目的とする。
【課題を解決するための手段】
【０００６】
本発明のブラジャーは、左右一対の乳房カップ部と、前記乳房カップ部の脇側から後身にかけて延びるバック布と、前記乳房カップ部の上部からバック布まで延びる肩紐を有するものにおいて、前記バック布は、周縁部と、この周縁部を除く大部分からなり、前記周縁部は、レース地だけの１層からなり、前記大部分は、前記レース地と、このレース地の内側に位置する弾力性を有する編地の、少なくとも２層からなることを特徴とする。
【０００７】
本発明のブラジャーの製法は、左右一対の乳房カップ部と、前記乳房カップ部の脇側から後身にかけて延びるバック布であって最外部にレース地を有するものと、前記乳房カップ部の上部から前記バック布まで延びる肩紐を組み合わせてなるブラジャーの製法であって、前記レース地を裁断するとき、少なくとも２枚の幅を有するバック布用生地を用意して、超音波切断により中間で切断することを特徴とする。
【発明の効果】
【０００８】
本発明によれば、バック布の周縁部はレース地だけの１層からなるので、バック布のラインが着衣に現れにくくなると共に、バック布が着用者に締め付け感を与えたり、長時間着用すると皮膚に跡が残ったりするようなことがなくなる。
【０００９】
通常であれば、１層のレース生地を切断すると、そこからほつれやすいが、本発明の方法によれば、超音波切断することにより、ほつれを防止することができる。
【発明を実施するための最良の形態】
【００１０】
本発明では、バック布の大半はレース地とパワーネットの２層からなるが、カップ部の周辺は補強布を取り付けることにより、３層とすることが好ましい。
【００１１】
また、肩紐取付用連結部を取り付ける個所もテープで補強することにより、３層とすることが好ましい。このテープは少なくとも２対用意して、肩紐取付位置を選択可能とすることが好ましい。
【実施例１】
【００１２】
以下、添付の図面に基づき、本発明の実施例を説明する。
【００１３】
図１は、本発明に係るブラジャーの全体正面図、図２は背面図である。
【００１４】
図１において、このブラジャーは、左右一対の乳房カップ部２と、前記乳房カップ部２の脇側から後身にかけて延びるバック布４と、前記乳房カップ部２の上部から前記バック布まで延びる肩紐６と、前記乳房カップ部２と前記肩紐６との連結部位に取り付けた肩紐連結具８とを有する。
【００１５】
図３は、バック布の拡大背面図である。バック布４は、カップ部２に近接する側の１／３程度４１及び肩紐取付部付近（４２又は４３）が３層部で、残りの大部分４４（ただし、周縁部４６，４７を除く）が２層部である。周縁部４６，４７は１層部である。
【００１６】
人体から最も離れる外表面はレース地４５であり、波形を形成する周縁部４６，４７を有する。上側は小さな波形４６で、下側は大きな波形４７である。これらは主として美的観点からの装飾であるが、上側の小さな波形４６は、後記するように製作上の要請でもある。下側の波形４７が３段階となっているが、内側２段はレース模様によって形成された装飾的なものである。
【００１７】
外表面レース地４５の内側は、パワーネットと呼ばれる弾力性を有する編地４８である。図４〜６に示すように、パワーネット編地４８は、レース地の波形模様の内側に位置して、縫合によりレース地４５と接合されている。そのため、レース生地の最外部（すなわち波形模様部分４６，４７）は１層である。その結果、バック布４のラインが着衣に現れにくくなると共に、バック布４が着用者に締め付け感を与えたり、長時間着用すると皮膚に跡が残ったりするようなことがなくなる。
【００１８】
カップ部２に近接する３層部分４１は、図４に示すように、前記内側パワーネット編地４８のさらに内側に補強布４９が縫合されて取り付けられている。補強布４９は、この実施例では１枚の生地ではなく、芯を挟み込んだ厚手の部材である。
【００１９】
肩紐取付部分８付近の３層部分４２，４３は、図６に示すように、テープ５１，５２がレース地４５とパワーネット４８の間に縦方向に設定されている。ただし、テープ５１，５２の上端５１ａはパワーネット４８の上端を越えて内方へ折り畳まれ、その折り畳み位置でパワーネット４８及びレース地４５に縫合されている。テープの下端は、折り返されることなく、その位置でパワーネット４８及びレース地４５に縫い付けられている。
【００２０】
テープの折り畳みにより形成された筒状部分５３，５４に連結具８が取り付けられ、この連結具８を介して肩紐６が取り付けられている（図1，2参照）。なお、テープが片側に２本（５１，５２）、全体で４本設けられているのは、肩紐取付位置の選択を可能とするためである。
【００２１】
本発明において、バック布用レース地を裁断するには、図７に示すように、前記レース地を裁断するとき、少なくとも２枚のバック布用生地を超音波切断により斜めに切断する。
【００２２】
この目的のため、本発明で使用するレース地４５としては、ほつれにくいものが好ましい。例えば、実開平５−３７９８９号で開示された「フロント糸と、ミドル糸とによる６コースチュールの六角チュール目を有するラッセル編地において、上記編地の組織の六角チュール目に対しバック糸を複数針間に跨がって振りながら挿入したことを特徴とするラッセル編地」を使用することができる。
【００２３】
その結果、ブラジヤーにおいて上側に位置する波形は特別な後処理をしなくてもほつれないものとなった。
【図面の簡単な説明】
【００２４】
【図１】本発明に係るブラジャーの全体正面図である。
【図２】本発明に係るブラジャーの全体背面図である。
【図３】本発明に係るブラジャーのバック布の拡大裏面図である。
【図４】図３のＩＶ−ＩＶ断面図である。
【図５】図３のＶ−Ｖ断面図である。
【図６】図３のＶＩ−ＶＩ断面図である。
【図７】バック布用レース地の裁断方法を示す平面図である。
【符号の説明】
【００２５】
２     カップ部
４     バック布
６     肩紐
８     肩紐連結具
４１   ３層部分
４４   残りの大部分
４５   レース地
４６   周縁部（小さな波形）
４７   周縁部（大きな波形）
４８   パワーネット
４９   補強布
４２，４３    ３層部分
５１，５２    テープ
５３，５４    筒状部分
【図１】
2007186827.tif 000003
【図２】
2007186827.tif 000004
【図３】
2007186827.tif 000005
【図４】
2007186827.tif 000006
【図５】
2007186827.tif 000007
【図６】
2007186827.tif 000008
【図７】
2007186827.tif 000009